(57)【要約】【課題】板ばねの押圧位置が容易に定まり、常にフェルール軸心に板ばねの力が加わるようにして接続状態が安定し、二つのフェルールをスリーブに嵌合した状態のままで、板ばねから容易に接離できて取扱い易い光コネクタを提供する。【解決手段】フェルールフランジに取付ける整合部材には、それぞれの後部面上に、単心フェルール内の光ファイバの軸心に直交する方向に、光ファイバを跨いで整合部材後方に開放された溝が形成され、板ばねのそれぞれの端部は、溝に係合するように分岐にされ、分岐された端部がそれぞれ溝に係合すると、板ばねの力が溝係合を介して光ファイバ軸心方向に働くようにして、光ファイバの接続を保持するようにした。【選択図】図１
2010096838.tif 000002
【特許請求の範囲】
【請求項１】
単心光ファイバ心線の先端部の光ファイバを受入れて保持する貫通孔を長手方向に有し、光ファイバのセンタ合せを行って光ファイバの接続を行う筒状の単心フェルール一対と、該単心フェルールを両端から挿入して軸合せするためのスリーブと、該単心フェルールを長手方向に付勢するための付勢手段とを備えた光コネクタにおいて、
前記付勢手段としての板ばねと、
それぞれの単心フェルールの後部のフェルールフランジに取付けられて該単心フェルールを保持しフェルールフランジに側方から装着可能な切欠きを有する貫通孔を備えた整合部材とを有し、
前記整合部材には、それぞれの後部面上に、前記貫通孔中心軸と直交し、前記切欠きのない方向に、貫通孔を跨いで整合部材後方に開放された溝が形成され、
前記板ばねのそれぞれの端部は、前記溝に係合するように分岐にされ、分岐された端部がそれぞれ溝に係合すると、前記板ばねの押圧力が溝係合を介して光ファイバ軸上に働くようにして、光ファイバ端面同士の圧接状態を保持するようにしたこと
を特徴とする光コネクタ。
【請求項２】
請求項１において、前記溝は、長手方向断面が概ねV溝形で、頂点が光ファイバの長手方向に向くことを特徴とする光コネクタ。
【請求項３】
請求項１、２において、前記板ばねを繋止し、コネクタベースを備え、該コネクタベースは前記板ばねを介して前記単心フェルールと接離されることを特徴とする光コネクタ。
【請求項４】
請求項１、２、３において、前記板ばねは一枚の平面状の細長状の板材から加工され、該板ばねの中央で前記コネクタベースに局所的に固定されることを特徴とする光コネクタ。
【請求項５】
請求項１、２、３、４において、コネクタベースに嵌合するコネクタカバーを設け、該コネクタベースの両側に腰高部を形成し、光コードを前記コネクタベースとコネクタカバーで挟み込んで前記腰高部になだらかに沿わせることにより、コネクタベースが取り付けられた平面または入隅に、光コードが漸近して接するようにしたことを特徴とする光コネクタ。
【請求項６】
請求項１〜５において、フェルールを軸合せするためのスリーブが割りスリーブを内部中央に保持した円筒状であり、その長さは、フェルール１本のキャピラリー部の長さの倍よりわずかに短くしてあることにより、両端からフェルールを嵌合して端面を圧接した際に、両端でのフェルールフランジつば部との隙間が微小であることを特徴とする光コネクタ。
【発明の詳細な説明】
【技術分野】
【０００１】
本発明は、光ファイバを接続する光コネクタに関する。
【背景技術】
【０００２】
光ファイバによるブロードバンドサービスは近年急激に普及し、住宅内にも光ファイバが配線される状況になっている。従来は外からの光ケーブルを直接部屋に引込んで、ユーザ宅のONU(Optical Network Unit：光回線終端装置)に接続することが行われてきたが、ユーザが都合に合わせて宅内の光配線を変更できるよう、取外しができる光コネクタ接続部を、光コンセントという形で宅内に１箇所設けることが多くなってきた。ただし、今後ユーザが、部屋間をまたぐ光配線や光映像信号の分岐配線など、多様な配線変更に対応するためには、購入した光コードを自由に増設して接続できることが必要になる。ただし、現状では、SCタイプ等の汎用的光コネクタの接続部をケースに収めて壁に固定するといった方法しかない。これではもともとコネクタが大きいのに加え、さらにそれを覆うケースを用いることで光コード接続部が嵩張ってしまい、見苦しい配線になる。したがって、手軽に扱えるとともに、小型で壁配線に適した光コネクタが期待されている。
【０００３】
光コネクタの一般的構造は、光ファイバ端部をフェルールに接着固定し、研磨した端面をスリーブ内で突き合わせる方式である。PC(Physical Contact)接続を実現するため、フェルール端面間に１ｋｇｆ程度の押圧を働かせる必要がある。そのため、コイルばねを仕込んだプラグハウジング内にフェルールを収容して押圧を付与できる構造にしている。ちなみに、PC接続とは、光コネクタで光ファイバを接続する際に、光ファイバ中央のコアおよびその周辺（クラッドの一部）を押圧により互いに変形させ、空気層を全く排除して密着させた状態を言う。これにより、屈折率整合剤なしで、接続端面での反射光の発生を大幅に削減することができる。
【０００４】
特許文献１に記載の発明は、光ファイバをフェルールに固定せず、光ファイバのたわみによる弾性で、フェルール突合せ時にファイバ端面間に押圧が発生するようにしたものであり、これによりフェルールへの光ファイバ固定作業や端面研磨作業を排除するとともに、プラグ構造の簡略化を図っている。ただし、PC接続を実現するためには、光ファイバ端面の形状精度が必要であるため、必ずしもプラグ取付けの作業性がよいわけではない。またプラグ内に光ファイバのたわみスペースを要することから、小型化できるとも言えない。また短いとはいえ光ファイバ端部がむき出しであることから、ごみ付着時の清掃作業の難しさやファイバ損傷の危険など、ユーザが宅内で使用するには適さない。
【０００５】
特許文献２に記載の発明は、基本構造は従来の光コネクタに準じるが、光コードへのプラグ取付けが自動化しやすいように、プラグハウジングを縦に２つに分割した構造とし、コイルばねの代りに、舌片状の板ばねをプラグハウジング部材の片割れに取付けて、光コード端に後付けできるようにしたものである。これは、光コネクタの低コスト化に結びつくものの、光コネクタの小型化や壁配線への適用性を改善するものではない。
【０００６】
特許文献３に記載の発明は、小型化のために、従来のフェルールを廃し、裸ファイバそのものをマイクロキャピラリー（文献ではマイクロフェルールと称している）内で突き合わせるようにしたものである。PC接続を実現するために必要な端面圧は、特許文献１と同様、光ファイバ自体のたわみによる反発力で得るように工夫している。したがって、特許文献１と同様、光ファイバ端面の形状精度や位置決め精度を必要とすることから、コネクタ組立ては煩雑になる。また、作業時には裸ファイバむき出しの状態で扱う必要があることから、ごみ付着時の清掃作業の難しさやファイバ損傷の危険などの問題があり、ユーザが宅内で使用するには適さない。
【０００７】
特許文献４に記載の発明では、従来コネクタの単心フェルールを、裸の割りスリーブ（文献内では整列スリーブ）内で嵌合させ、板ばねで双方の単心フェルールのフランジのつば部分を挟みこむことによりPC接続のための端面圧を与えている。この発明は、部品数が少なく、光コネクタを小型化できるメリットがあるが、市販の単心フェルールは、フランジのつば部が小さいため、板ばねで安定した押圧をかけるのは難しい。また、板ばねへの取付けや取外しも、指でつまむのに適した箇所がないため作業性が悪い。これらの改善のために、フランジつば部を大きくしたり、溝をつけるなどフェルールフランジを特殊構造にするならば、今度はコストアップとなる問題がある。フランジは通常ステンレス金属であるため、量産設備に費用がかかることから、多量に製造されている市販規格品に対する価格差は大幅になる。また単にフランジの部品代だけではなく、フェルール組立て、フェルール端面研磨や端面検査などの治具を特別にあつらえることが必要な場合もあることから、現実的ではない。また、この発明は、通常人手に触れることのない基板での接続を想定したもので、接続対象として単純な光ファイバ心線（被覆付光ファイバ）のみを考えており、コネクタ接続部や光コード被覆端の保護は考慮していない。
【０００８】
【特許文献１】特開２００４−２１２５７１号公報
【特許文献２】特開平５−１８８２４０号公報
【特許文献３】特開平８−１５５５１号公報
【特許文献４】特許第３２８６６０１号公報
【発明の開示】
【発明が解決しようとする課題】
【０００９】
本発明は、付勢手段として板ばねを用いることができ、この板ばねの押圧位置が容易に定まり、常にフェルール軸心に板ばねの力が加わるようにして安定な接続状態を実現することと二つのフェルールを割りスリーブに嵌合させた状態のままで板ばねから接離できる、小型、安価で取扱い易い、壁配線に適した光コネクタを提供することを目的とする。
【課題を解決するための手段】
【００１０】
本発明は、単心光ファイバ心線の先端部の光ファイバを受入れて保持する貫通孔を長手方向に有し、光ファイバのセンタ合せを行って光ファイバの接続を行う筒状の単心フェルール一対と、該単心フェルールを両端から挿入して軸合せするためのスリーブと、該単心フェルールを長手方向に付勢するための付勢手段とを備えた光コネクタにおいて、
前記付勢手段としての板ばねと、
それぞれの単心フェルールの後部のフェルールフランジに取付けられて該単心フェルールを保持しフェルールフランジに側方から装着可能な切欠きを有する貫通孔を備えた整合部材とを有し、
前記整合部材には、それぞれの後部面上に、前記貫通孔中心軸と直交し、前記切欠きのない方向に、貫通孔を跨いで整合部材後方に開放された溝が形成され、
前記板ばねのそれぞれの端部は、前記溝に係合するように分岐にされ、分岐された端部がそれぞれ溝に係合すると、前記板ばねの押圧力が溝係合を介して光ファイバ軸上に働くようにして、光ファイバ端面同士の圧接状態を保持するようにしたこと
を特徴とする光コネクタを提供する。
【００１１】
本発明は、また、前記溝は、長手方向断面が概ねV溝形で、頂点が光ファイバの長手方向に向くことを特徴とする光コネクタを提供する。
【００１２】
本発明は、また、前記板ばねを繋止し、コネクタベースを備え、該コネクタベースは前記板ばねを介して前記単心フェルールと接離されることを特徴とする光コネクタを提供する。
【００１３】
本発明は、また、前記板ばねは一枚の平面状の細長状の板材から加工され、該板ばねの中央で前記コネクタベースに局所的に固定されることを特徴とする光コネクタを提供する。
【００１４】
本発明は、また、コネクタベースに嵌合するコネクタカバーを設け、該コネクタベースの両側に腰高部を形成し、光コードを前記コネクタベースとコネクタカバーで挟み込んで前記腰高部になだらかに沿わせることにより、コネクタベースが取り付けられた平面または入隅に、光コードが漸近して接するようにしたことを特徴とする光コネクタを提供する。
【００１５】
本発明は、また、フェルールを軸合せするためのスリーブが割りスリーブを内部中央に保持した円筒状であり、その長さは、フェルール１本のキャピラリー部の長さの倍よりわずかに短くしてあることにより、両端からフェルールを嵌合して端面を圧接した際に、両端でのフェルールフランジつば部との隙間が微小であることを特徴とする光コネクタを提供する。
【発明の効果】
【００１６】
本発明は、光ファイバ軸心に直交する方向に光ファイバを跨いで整合部後方に開放された溝を形成しており、板ばねがこれらの溝に係合すると、板ばねの力が光ファイバ軸心方向に働くので、光ファイバの接続を確実に保持すると共に、二つの単心フェルールが割りスリーブに嵌合した状態のままで板ばねから容易に接離することができ、これによって取扱い易い光コネクタを提供することができる。
【発明を実施するための最良の形態】
【００１７】
以下、本発明の実施例を図面に基づいて説明する。
【実施例】
【００１８】
図１は、光コネクタ本体部１をベース部２に板ばね３を介して接合する状態を示し、図２は光コネクタ本体部１がベース部２に接合された状態の光コネクタ１００を示す。
【００１９】
光コード２２は、図ではフラットな形状をしているが、一般的な丸型断面の光コードであってもよい。また、光ファイバ心線そのものであってもよい。
【００２０】
図３に示すように、光コネクタ本体部１は、単心フェルール１０を備える。図３では１つの単心フェルールが記載してあるが対向した形で他方の単心フェルールが備えられる。単心とは、この単心フェルール１０に穿けられた１つの貫通孔に１つの光ファイバコアが挿入されるような形体を示す。すなわち単心フェルール１０は、単心光ファイバ心線の先端部の光ファイバを受入れて保持する貫通孔を長手方向に有する構造をしており、この構造はよく知られている。割りスリーブ１１の一方側は単心フェルール１０に対向し、他方側は他方の単心フェルールに対向し、そして他方側にはブッシュキャップ１３が設けられる。
【００２１】
図４に割りスリーブ１１（図４（ａ））、ブッシュ１２（図４（ｂ））およびブッシュキャップ（図４（ｃ））の構造を示す。割りスリーブ１１の側方に図示した図４（ａ´）は側面図を示す。
【００２２】
図５は、これらの部品を組立てた割りスリーブ内蔵ブッシュ２０の構造である。
図５に示すように、ブッシュ１２はブッシュつば１４を備えてその内部空間１６に割りスリーブ１１を内蔵し、他方側に外径がブッシュつば１４とほぼ同一形状のブッシュキャップ１３を備える。ブッシュ１２およびブッシュキャップ１３はプラスティック材で形成され、割りスリーブ１１はジルコニアまたはリン青銅で形成される。このようにして組立てられた割りスリーブ内蔵ブッシュ２０は内部に空間部１５および空間部１７を備え、両側から空間部１５を介して空間部１７まで単心フェルール１０および他側の単心フェルールが挿入される。
【００２３】
割りスリーブ内蔵ブッシュ２０は、左右対称の構造としている。ブッシュつば１４とブッシュキャップの軸方向寸法は、フェルールを根元まで挿入したときに、割りスリーブがフェルール接合部の中央に位置するように決める。（市販の割りスリーブの寸法は、短くできているため、割りスリーブ単体だけ使用する場合には、割りスリーブの軸方向位置を手作業で調整する必要が出てくる。）また、割りスリーブ内蔵ブッシュとすることにより、割りスリーブ単体のときよりも大きくなるので、指でつまみやすくなる。
【００２４】
このように、割りスリーブを裸のままにせず、容器内に収めることにより、単心フェルールを挿入する手作業がしやすくなり、また割りスリーブへのゴミの進入や付着が防止されるため、悪環境での接続作業にも適する。
【００２５】
図３においては、割りスリーブ内蔵ブッシュを分解して示してあるが、実際の作業では、上述のようにして組立てられた割りスリーブ内蔵ブッシュ２０に単心フェルール１０が挿入される。それぞれの単心フェルールには、光コード２２から取出された光ファイバ心線２３が取付けられている。このような構成において、単心フェルール１０の後部、すなわち光ファイバコア接合部の反対側の後部側には、フェルールフランジ２４のつば部に密着するように整合部材２５が固着される。他側の単心フェルールについても同様にして整合部材が設けられる。従って、ここでは後部と言った場合に、単心フェルールについて、光ファイバ接続部の反対側のある部分を指すことになる。
【００２６】
図７の整合部材２５の中央部にある貫通穴は、この実施例では、図８にあるフェルールフランジの段部と嵌合する寸法にし、貫通穴の側方に設けられる切欠きは、フェルールフランジの管部の直径ｄよりも大きくする。この構造にすることにより、整合部材を、フランジ管部に装着し、しかる後に前方にスライドさせると段部に嵌合してつば部と密着した状態で一体化する。
【００２７】
なお、整合部材とフェルールフランジが嵌合穴内面でより密着するよう、嵌合穴の内径を、フェルールフランジの段部と管部の形状に合わせて２段にし、側方の切欠きの幅を光ファイバ心線の直径からわずかに大きくするようにしてもよい。この方が整合部材の溝２６を長くできるので、接続特性の観点で有利である。この場合には、整合部材を光ファイバ心線に取り付けた後、前方にスライドすればよい。
光コード端からの光ファイバ心線の長さが、整合部材の厚さよりも小さくなる場合には、切欠きの幅の寸法を２段にして、光ファイバ直径に合わせた部分とフェルールフランジ管部に合わせた部分とにすればよい。整合部材はモールド成型で製造するため、このような形状にも容易に対応できる。
【００２８】
整合部材２５は、後部面上に、整合部材後方に開放された溝２６を備える。整合部材２５の外形をフェルールフランジ２４の外形より大きくして溝２６の形状を大きなものとする。このようにすることによって後述するように溝２６に板ばね３を係合させる時に、安定な押圧が可能となり、作業性が向上する。
【００２９】
図６に、以上のようにして構成された光コネクタ本体部１に板ばね３を取付ける状況を示す。
【００３０】
図７は、図６に示す整合部材２５の側面図を示す。また、図８は、単心フェルールの断面図である。
【００３１】
図６において、図の中央部の光ファイバ３１の接合部３２を中央にして左右対称の構成となっており、右側の構成については左側の構成に“Ａ”を付けて表示してあり、その説明については左側の構成についての説明が参照されるものとする。
【００３２】
図６に示す単心用の光コネクタ１００では、単心フェルール１０の先端を凸に研磨することにより、双方の光ファイバ３１，３１ＡがPC接続される。
単心フェルール用の外側には割りスリーブ１１が嵌合され、単心フェルール軸心にある光ファイバ３１，３１Ａを軸合せしている。図６では、割りスリーブを裸で使用した場合を示した。実際には、前述のとおり、割りスリーブ内蔵ブッシュにして使用した方が好ましい。
【００３３】
図６，７に示すように、整合部材２５は、後部面上に、単心フェルール１０内の光ファイバ３１の光ファイバ軸心に直交する方向に光ファイバ３１を跨いで整合部材後方に開放された溝２６が形成される。図７では端から端まで連通する切欠状としているが、一部のみの窪みとすることができ、この場合には窪みは光ファイバ３１を跨いだ形で２つ形成される。整合部材２５の中央部には、フェルールフランジに側方から装着可能な切欠き３５を有する貫通孔３３が設けてある。整合部材２５は、貫通孔３３にを貫通させた後に、フェルールフランジ２４に固定される。溝２６は、貫通孔３３の両側に、すなわち光ファイバ３１を跨ぐ形で形成され、図７に示すように光ファイバ軸心に直交している。そして、貫通孔３３の両側に、すなわち光ファイバ３１の両側に板ばねによる押圧個所３４が設定される。
【００３４】
このようにして、それぞれの単心フェルールの後部にそれぞれ整合部材が取付けられ、整合部材には、それぞれの後部面上に、単心フェルール内の光ファイバの軸心に直交する方向に光ファイバを跨いで整合部材後方に開放された溝２６が形成される。溝２６は、長手方向断面が概ねＶ溝形で、その頂点が光ファイバ３１の長手方向に向くようにして形成される。
【００３５】
光コネクタ本体部１が組立てられ、整合部材２５がフェルールフランジ２４に固定されると、つぎは、図６の上方から、この一体部材を下方の板ばね３に押込むのである。このとき、板ばね３の両端にある内側への突起部４２，４２Ａが双方の整合部材２５，２５Ａの後方面を接触しながら滑り、溝２６，２６Ａに嵌合して位置決めされる。この場合に、整合部材２５はフェルールフランジ２５と別体とされているので、板ばね取付け前にフェルールの回転位置調整を実施することができる。回転位置を自由に調整できるため、接続損失を極力低減しようとする場合には有効な手段になる。
【００３６】
板ばね３は、一枚の平面状の細長状の板材から構成される。板ばね３のそれぞれの端部４１，４１Ａは、溝２６，２６Ａに係合するように分岐されて（図１参照）、溝２６，２６Ａの壁面にフィットするように概ねＶ字状に曲げられる。（板金加工により製造された板ばねでは、丸みを帯びた形状になってしまうので、V字状と言いがたい場合もあるが、それでも機能上の問題はない。）
このＶ字状挿入部４２，４２ＡがＶ字状溝構造に有する溝２６，２６Ａに係合させられる。この係合がなされると板ばね３の有する弾性力は矢印で余すように双方の整合部材２６，２６Ａを中央方向、すなわち光ファイバ３１，３１Ａの接合部３２の方向に押圧する。
【００３７】
この構成によれば、板ばね３で押圧する整合部材２５の後部面に、単心フェルール内のファイバ軸と直交する一筋の溝が形成してあるので、２つの押圧箇所３４に板ばね３の弾性力が作用すると、この弾性力は光ファイバ３１の軸心に沿って働くことになる。すなわち、この構成によると、単心フェルール１０である光ファイバ３１にその軸心に合わせて板ばね３の弾性力が働き、双方の光ファイバ３１，３１Ａの接合部３２の接合を確実に保持することができ、これにより、安定かつ良好な接続特性を得ることができる。従来のように屈折率整合剤を接合部３２に配することなく、低損失，仮反射の接続ができる。
【００３８】
このように、板ばね３の端部Ａ１は、溝２６に係合するように分岐され、分岐された端部がそれぞれの溝２６に係合すると、板ばね３の挟み力（弾性力）が溝係合を介して光ファイバ軸心方向に働くようになり、光ファイバ３１，３１Ａの接続を保持することになる。なお、板ばね３が付与する力は、一般的単心コネクタ同様、約１ｋｇｆに設定することができる。また、整合部材２５の端部４５角を丸めたり、傾斜させることができる。
【００３９】
図１に戻って、板ばね３はベース部２のコネクタベース５１に取付けられている。図では、コネクタベースに付けたつめで、板ばね中央を挟み込む構造を想定している。板ばねは曲げ変形によって押圧を発生するものであるから、変形を拘束するようなコネクタベースへの固定形態は好ましくなく、変形を許容する繋止構造が望ましい。固定する場合には、曲げ変形がコネクタベースとの接触で阻害されないよう、板ばね中央を局所的に固定することが望ましい。その際、コネクタベースの中央部を少し高くするか、板ばね中央を下方に凸形状に段型に曲げるなどして固定することが効果的である。
【００４０】
コネクタベース５１は、プラスティック材で形成され、細長状の光コネクタ本体部１に対応して細長状に形成される。コネクタベース５１は、壁面や柱表面に両面接着テープや木ねじで固定される。後者に対応するには、コネクタベースの邪魔にならないところにねじ穴を開けておけばよい。コネクタベース５１は、両端部に図３に示す光コード２２を載置するように突起部５２を有し、中央部は平面状の細長状とされ、中央で板ばね３を固定する。板ばね３をコネクタベース５１に固定してベース部２が組立てられ、上述したようにして組立てられた光コネクタ本体部１が矢印で示すようにベース部２に近接され、板ばね３を溝２６，２６Ａに係合される。
【００４１】
図２に係合され一体化された状態の光コネクタ１００を示す。この係合作業は両側の整合部材をつまんで行う。それぞれを両手でつまんで一緒に押込んでもよいし、片方の整合部材だけを片手でつまみ、他方の整合部材を板ばねの端に引っ掛けてから、つまんでいる整合部材を押込むようにしてもよい。整合部材の高さ方向の寸法を、一体化した後でも上面が板ばねから上方にはみ出るようにしておくことにより、押込み操作が容易になる。
【００４２】
図８は単心フェルール１０の断面を示す。単心フェルール１０は、ジルコニアで形成されたフェルールキャピラリー部８１、つば部８２、段部８３および管部８４から形成される。つば部８２と管部８３とによってステンレス製のフェルールフランジ２４が形成される。フェルールキャピラリー部８１には中央内部に光ファイバ挿入孔８５が設けられ、管部８４に設けた光ファイバ心線挿入穴８６と連通する。管部８４の外径をｄに形成した時に、図７に示す切欠き３５の長さをｄ＋αに設定する。
【００４３】
図９に、図２に示す光コネクタ１００にコネクタカバー６１を取付けて（図９（ａ），図９（ｂ））、コネクタカバー付きの完成した光コネクタ１０１（図１０）を示す。
【００４４】
図１１は図９に示す構成の斜視断面図である。この図に示すように、光コード２２は低い高さとされた端部６２によって押さえられる。図１１に示すようにコネクタベース５１の両側には腰高部６３が形成してあり、光コードをコネクタベース５１とコネクタカバー６１で挟み込んで腰高部６３に沿ってなだらかに沿わせ、コネクタベース５１の中央軸に配設する。このような構造にすることによって、壁面に取付けられたコネクタから光コードが壁面に沿うように出てくるため、壁面に密着して配線できる。壁配線においては、光コードは壁面に固定されることから、光コネクタ両側での光コードが壁面に密着して配線できれば、光コードに働く張力はあまり考える必要はないため、光コードの被覆際は軽い係止ができれば十分なのである。光コードに大きな張力が加わるのは、壁面から浮いた光コードを引っ掛けてしまう場合であり、それを想定した設計にするのは無意味である。
【００４５】
一般の単心コネクタを壁に取付ける場合には、光コードが壁面から浮いてしまうので、壁面への密着配線のためには、カバー部材で同様のことを実施する必要がある。しかし、コネクタ自体のハウジング寸法が大きいこと、光コードはコネクタからブーツを通って出てくるので、壁に沿わせるためには長さを稼ぐ必要があるため、カバー部材が大きくなって美観を損なう問題がある。
【００４６】
なお、説明してきた本実施例では、図１、図２にあるように、コネクタベースの底を平面とした。この形状は、壁面や柱に取り付ける場合に適している。しかし、光コードの断面形状が丸形である場合には、配線経路として入隅を選ぶことが、美感上も引っ掛け事故を防止するためにも好ましい。その配線には、光コネクタを入隅部に取付けやすくするよう、コネクタベースの横断面形状が下に凸の直角二等辺三角形とすることが好ましい。ただし、実際の入隅にフィットするよう、直角の頂点は少し角を取るか丸めておくことが望ましい。図１３に、コネクタベースの横断面図を示す。また、コネクタカバーは、両端で、光コードを、コネクタベース底の中央軸（直角稜線）になだらかに沿うように押さえる構造にする。
【００４７】
以上説明したように、本実施例では、整合部材をフェルールの後方に取付けることにより、フェルール対の割りスリーブへの挿入、板ばねへのフェルール嵌合体の取付けや取外しを容易化される。また、コネクタカバーの取付けにより、光コード被覆端を保護するとともに光コネクタ両側の光コードが壁に密着するようにガイドするため、すっきりした壁配線を実現することができる。
【００４８】
また本実施例における整合部材やコネクタベース、コネクタカバーはプラスティック材料でよいので量産が容易であること、市販の安いフェルール規格品や割りスリーブを使えること、構成する部品の数が少ないことなどから低価格化が可能である。またプラグハウジングがないため壁面からの厚みを１０mm程度以下にできるなど、小型化にも適する。
【００４９】
また、本実施例は宅内での光コードの壁配線を想定しているが、機器内の光配線にも適用可能である。
【図面の簡単な説明】
【００５０】
【図１】本発明の実施例の光コネクタの組立てを示す図。
【図２】図１に示す方法によって組立てられた光コネクタの外観を示す図。
【図３】光コネクタの部品並びに構成を示す図。
【図４】割りスリーブ内蔵ブッシュの構成を示す図。
【図５】図４に示す方法によって組立てられた割りスリーブ内蔵ブッシュの構造を示す図。
【図６】本発明の実施例の光コネクタの構成および作用を説明する図。
【図７】図６の整合部材の側面図。
【図８】図６のフェルールの断面図。
【図９】光コネクタにコネクタカバーを取付ける方法を示す図。
【図１０】図９に示す方法によってコネクタカバーを取付けた光コネクタの外観を示す図。
【図１１】図１０に示す光コネクタの斜視断面図。
【符号の説明】
【００５１】
１…光コネクタ本体部、２…ベース部、３…板ばね、１０，１０Ａ…単心フェルール、１１…割りスリーブ、１２…ブッシュ、１３…ブッシュキャップ、１５，１７…空間部、２０…割りスリーブ内蔵ブッシュ、２２…光コード、２３…光ファイバ心線、２５，２５Ａ…整合部材、２６，２６Ａ…溝、３１，３１Ａ…光ファイバ、３２…接合部、３４…押圧箇所、５１…コネクタベース、６１…コネクタカバー、１００…光コネクタ、１０１…コネクタカバー付きの完成したコネクタ。
【図１】
2010096838.tif 000003
【図２】
2010096838.tif 000004
【図３】
2010096838.tif 000005
【図４】
2010096838.tif 000006
【図５】
2010096838.tif 000007
【図６】
2010096838.tif 000008
【図７】
2010096838.tif 000009
【図８】
2010096838.tif 000010
【図９】
2010096838.tif 000011
【図１０】
2010096838.tif 000012
【図１１】
2010096838.tif 000013